(57)【要約】【課題】簡単な構造で着脱が容易でかつ確実にとりつけができるローラコンベアを提供する。【解決手段】ローラベアリング１はローラパイプ１０の両端に装備される着脱側ベアリング支持部２０と固定側ベアリング支持部１００を有する。着脱側ベアリング支持部２０のベアリングの内輪３２の内径部は六角穴４０に形成され、六角パイプ５０が摺動自在に挿入される。六角パイプはスプリング６０により、常時外側に向けて付勢される。六角パイプ５０をコンベアフレーム２の六角穴４に挿入して支持部２０をとりつける。固定側ベアリング支持部１００のベアリングの内輪１５０は、その延長部に六角面１５４が形成され、コンベアフレーム２の六角穴４に挿入、固定される。【選択図】図１
2009091134.tif 000002
【特許請求の範囲】
【請求項１】
平行に配設されたコンベアフレームに対して着脱自在にとりつけられるローラコンベアであって、
円筒形状のローラパイプの一方の端部に装備される固定側ベアリング支持部と、ローラパイプの他方の端部に装備される着脱側ベアリング支持部を備え、
固定側ベアリング支持部は、外径部がローラパイプの端部の内径部に圧入されるとともに内径部にベアリングの外輪が圧入される樹脂製のリング部材と、ベアリングの内輪の軸方向の延長部に形成されてコンベアフレームの開口部に挿入される六角筒部を備えることを特徴とするローラコンベア。
【請求項２】
着脱側ベアリング支持部は、外径部がローラパイプの内径部に圧入されるとともに内径部にベアリングの外輪が圧入される樹脂製のリング部材と、ベアリングの内輪の内径部に対して軸方向に摺動自在に挿入される六角パイプと、ベアリングの内輪と六角パイプの間に配設されて、六角パイプをコンベアフレームの開口部に向けて付熱するスプリングを備えることを特徴とする請求項１記載のローラコンベア。
【請求項３】
固定側ベアリング支持部は、樹脂製のリング部材とベアリングの外輪との間に装備される外径部にスプロケット歯を有する金属製のスプロケット部材を備えることを特徴とする請求項１記載のローラコンベア。
【請求項４】
固定側ベアリング支持部は、樹脂製のリング部材とベアリングの外輪との間に装備される外径部に丸ベルト用の丸溝を有する金属製の丸ベルト部材を備えることを特徴とする請求項１記載のローラコンベア。
【発明の詳細な説明】
【技術分野】
【０００１】
本発明はローラコンベアに関する。
【背景技術】
【０００２】
コンベアフレームに対して両端部がとりつけられて、ベアリングを介して回転するローラパイプを有するローラコンベアが使用されている。
下記の特許文献は、この種のローラコンベアを開示している。
【特許文献１】特開平８−１２０３８号公報
【特許文献２】特開平７−３００２２０号公報
【特許文献３】特開２０００−６２９３７号公報
【発明の開示】
【発明が解決しようとする課題】
【０００３】
本発明の目的は、コンベアフレームに対して容易に着脱することができ、かつローラコンベアを確実にコンベアフレームに固定することができるローラコンベアを提供するものである。
【課題を解決するための手段】
【０００４】
上記目的を達成するために、本発明のローラコンベアは、円筒形状のローラパイプの一方の端部に装備される固定側ベアリング支持部と、ローラパイプの他方の端部に装備される着脱側ベアリング支持部を備え、固定側ベアリング支持部は、外径部がローラパイプの端部の内径部に圧入されるとともに内径部にベアリングの外輪が圧入される樹脂製のリング部材と、ベアリングの内輪の軸方向の延長部に形成されてコンベアフレームの開口部に挿入される六角筒部を備えるものである。
また、着脱側ベアリング支持部は、外径部がローラパイプの内径部に圧入されるとともに内径部ベアリングの外輪が圧入される樹脂製のリング部材と、ベアリングの内輪の内径部に対して軸方向に摺動自在に挿入される六角パイプと、ベアリングの内輪と六角パイプの間に配設されて、六角パイプをコンベアフレームの開口部に向けて付勢するスプリングを備えるものである。
そして、固定側ベアリング支持部は、樹脂製のリング部材とベアリングの外輪との間に装備される外径部にスプロケット歯を有する金属製のスプロケット部材を備え、さらに、固定側ベアリング支持部は、樹脂製のリング部材とベアリングの外輪との間に装備される外径部に丸ベルト用の丸溝を有する金属製の丸ベルト部材を備えるものである。
【発明の効果】
【０００５】
本発明のローラコンベアは、以上の手段を備えることにより、簡素な構成で、かつ着脱が容易なローラコンベアを提供することができる。
【発明を実施するための最良の形態】
【０００６】
図１は、本発明のローラコンベアの全体構造を示す断面図である。
全体を符号１で示すローラコンベアは、ローラパイプ１０の両端にとりつけられる着脱側ベアリング支持部２０と固定側ベアリング支持部１００を有する。
ローラコンベア１は、コンベアフレーム２に対してとりつけられるが、コンベアフレーム２には六角穴４が設けられており、この六角穴４に固定側ベアリング支持部１００と着脱側ベアリング支持部２０の六角パイプ部を挿入することで、ローラコンベア１はコンベアフレーム２に着脱自在にとりつけられる。
【０００７】
着脱側ベアリング支持部２０は、ローラパイプ１０の端部に圧入されるリング部材２２を有する。
リング部材２２は、例えばプラスチック樹脂材料でつくられ、ベアリングの外輪３０に一体に成型される。
外輪３０はベアリングボール３４、リテーナ３６を介して内輪３２に連結される。内輪３２の内径部はスプライン加工等の加工手段によって六角穴４０に加工される。
【０００８】
図２、図３は着脱側ベアリング支持部の部材を示す説明図である。
内輪３２の六角穴４０に対して六角パイプ５０が摺動自在に挿入される。六角パイプ５０の外径部は、内輪３２の六角穴４０に対して摺動自在な間隙を有する六角面５２に形成され、内径部は丸穴５４に形成される。
六角パイプ５０のローラパイプ１０の内側の端部にはリング溝５６が形成してある。一方、内輪３２の端部にもリング溝３３が形成してある。
テーパー形状のコイルスプリング６０の小径側の端部６２は六角パイプ５０のリング溝５６にカシメ結合され、大径側の端部６４は内輪３２のリング溝３３にカシメ結合されている。
【０００９】
そこで、六角パイプ５０を図の矢印Ａ方向に押すと、六角パイプ５０は内輪３２に対して摺動し、コイルスプリング６０は伸長される。
六角パイプ５０をコンベアフレーム２の六角穴４に通して押圧力を解放すると、六角パイプ５０は、スプリング力により矢印Ｂ方向に摺動し、コンベアフレーム２に確実に装着される。
六角パイプ５０をコンベアフレーム２の六角穴４から抜き出す際には、手工具等を利用する。
【００１０】
ローラパイプ１０の他方の端部は固定側ベアリング支持部１００により支持される。
ローラパイプ１０の端部には、図４にも示すリング部材１１０が圧入されるが、リング部材１１０は樹脂でつくられ、図５にも示す金属製のスプロケット部材１２０に一体に成型される。リング部材１１０の一端部はスプロケット部材に接するフランジ部１１２に形成され、他端部はテーパー部１１４に形成され、ローラパイプ１０に圧入しやすくしてある。
【００１１】
スプロケット部材１２０は、リング部材１１０が圧入される円筒部１２２を有し、円筒部１２２の先端には膨出部１２４が設けてある。膨出部１２４は円筒部１２２に圧入されたリング部材１１０が抜け出すのを防止する。円筒部１２２に連続して形成されるフランジ部１２６はリング部材１１０の軸方向の位置を規制する。
スプロケット部材１２０は、外周部にスプロケット歯１３０が形成され、内周部にベアリングの外輪が圧入される内径穴１２８が形成される。
【００１２】
図１に示すように、ベアリングの外輪１４０と内輪１５０の間にはボール１４２、リテーナ１４４が設けされる。内輪１５０は円筒部１５２の外側に六角筒部１５４と段部１５５が設けられる。この六角筒部をコンベアフレーム２の六角穴４に挿入することによって、固定側ベアリング支持部１００はコンベアフレーム２に固定される。
ベアリングの内輪１５０は円筒貫通穴１５６を有し、必要に応じてシャフト等を挿入することができ、ローラコンベアの剛性を向上することができる。
なお、スプロケットは上述した実施例に示す１列のものに加えて、２列のものにも適用できる。
【００１３】
図６は固定側ベアリング支持部２００の他の例を示す。
この固定側ベアリング支持部２００は、丸ベルト２４０がかけ渡される丸溝２３０を有する金属製の丸ベルト部材２２０を有する。丸ベルト部材２２０はローラパイプ側に圧入されるリング部材を支持する円筒部２２０と、円筒部２２２の端部に形成される突出部２２４を有する。
突出部２２４は圧入されたリング部材の抜け出しを防止する。
【００１４】
丸ベルト部材２２０の内径側にはベアリングの外輪２５０が圧入され、外輪２５０はボール２５２、リテーナ２５４を介して内輪２６０に連結される。
内輪２６０は、円筒部２６２と円筒部２６２の端部に形成される六角筒部２６４を有する。
内輪２６０の内径部は円筒貫通穴２６６に形成される。
なお、丸ベルトは上述した実施例に示す１列のものに加えて２列のものにも適用できる。
また、丸ベルトにかえて、Ｖベルトにも適用できる。この場合には、Ｖベルトの１列または２列に対応するＶ溝をもつ部材を用意する。
【００１５】
図７は、固定側ベアリング支持部３００の更に他の例を示す。
この固定側ベアリング支持部３００は、駆動機構を備えない従動型の支持部を構成している。ローラパイプ１０の端部に圧入される樹脂製のリング部材３１０の内径側にはベアリングの外輪３３０が圧入される。
ベアリングの外輪３３０は、ボール３３２やリテーナ３３４を介して内輪３４０に連結される。
リング部材３１０の外側には、樹脂製のシール部材３２０が嵌装される。このシール部材３２０はベアリング内への異物の浸入を防止する機能を有する。
内輪３４０は、円筒部３４２と円筒部３４２の端部に形成される六角筒部３４４を有する。内輪３４０の内径部は円筒貫通穴３４６に形成される。
なお、ベアリング支持部をコンベアフレームに挿入する形状は、六角形状の断面に限定されず、四角形、多面体等の要は、ベアリングの内輪側がコンベアフレームに対して回転せずに固定される形状のものであればよい。
本発明は、ベアリングのサイズやローラパイプの外径寸法に対応して種々の大きさのローラコンベアに適用することができる。
【図面の簡単な説明】
【００１６】
【図１】ローラコンベアの全体構造を示す断面図
【図２】着脱側ベアリング支持部の部材を示す説明図
【図３】着脱側ベアリング支持部の部材を示す説明図
【図４】リング部材を示す説明図
【図５】スプロケット部材の説明図
【図６】固定側ベアリング支持部の他の例を示す説明図
【図７】固定側ベアリング支持部の他の例を示す説明図
【符号の説明】
【００１７】
１  ローラコンベア
２  コンベアフレーム
４  六角穴
１０  ローラパイプ
２０  着脱側ベアリング支持部
２２  リング部材
３０  外輪
３２  内輪
３４  ベアリングボール
３６  リテーナ
４０  六角穴
５０  六角パイプ
５２  六角面
６０  コイルスプリング
１００  固定側ベアリング支持部
１１０  リング部材
１２０  スプロケット部材
１３０  スプロケット歯
１４０  外輪
１５０  内輪
１５２  円筒部
１５４  六角筒部
【図１】
2009091134.tif 000003
【図２】
2009091134.tif 000004
【図３】
2009091134.tif 000005
【図４】
2009091134.tif 000006
【図５】
2009091134.tif 000007
【図６】
2009091134.tif 000008
【図７】
2009091134.tif 000009
【手続補正書】
【提出日】平成20年4月3日(2008.4.3)
【手続補正１】
【補正対象書類名】特許請求の範囲
【補正対象項目名】請求項２
【補正方法】変更
【補正の内容】
【請求項２】
着脱側ベアリング支持部は、外径部がローラパイプの内径部に圧入されるとともに内径部にベアリングの外輪が圧入される樹脂製のリング部材と、ベアリングの内輪の内径部に対して軸方向に摺動自在に挿入される六角パイプと、ベアリングの内輪と六角パイプの間に配設されて、六角パイプをコンベアフレームの開口部に向けて付勢するスプリングを備えることを特徴とする請求項１記載のローラコンベア。
【手続補正２】
【補正対象書類名】明細書
【補正対象項目名】００１３
【補正方法】変更
【補正の内容】
【００１３】
図６は固定側ベアリング支持部２００の他の例を示す。  この固定側ベアリング支持部２００は、丸ベルト２４０がかけ渡される丸溝２３０を有する金属製の丸ベルト部材２２０を有する。丸ベルト部材２２０はローラパイプ側に圧入されるリング部材を支持する円筒部２２２と、円筒部２２２の端部に形成される突出部２２４を有する。
突出部２２４は圧入されたリング部材の抜け出しを防止する。